(57)【要約】【課題】他の表示の邪魔をすることなく禁則仕様の適用の原因となる設定の設定値をユーザに通知することを目的とする。【解決手段】設定装置が、画面上が操作されることで各種操作指示を受け付ける操作表示手段を具備し、前記操作表示手段は、設定操作のための設定操作領域画面（第１の画面）とともに前記第１の画面とは別の領域画面（第２の画面）を表示する設定装置であって、禁則原因である第１の設定の設定値の禁則仕様に基づいて第２の設定の設定値が無効になる場合に、前記第１の設定の設定値を前記第２の画面に表示させる制御手段を具備する。【選択図】図２
2011154640.tif 000002
【特許請求の範囲】
【請求項１】
画面上が操作されることで各種操作指示を受け付ける操作表示手段を具備し、前記操作表示手段は、設定操作のための設定操作領域画面（第１の画面）とともに前記第１の画面とは別の領域画面（第２の画面）を表示する設定装置であって、
禁則原因である第１の設定の設定値の禁則仕様に基づいて第２の設定の設定値が無効になる場合に、前記第１の設定の設定値を前記第２の画面に表示させる制御手段を具備することを特徴とする設定装置。
【請求項２】
前記第２の画面は、前記第１の画面と異なる位置に配置されていることを特徴とする請求項１に記載の設定装置。
【請求項３】
前記第２の画面は、前記第１の画面と重なる位置に配置され、重なった場所は透過されていることを特徴とする請求項１に記載の設定装置。
【請求項４】
前記制御手段は、前記第１の画面上の前記第２の設定に関する操作ボタン（第２の設定ボタン）を前記操作表示手段にグレイアウト表示させ、当該第２の設定ボタンが操作されると、前記第１の設定の設定値を前記第２の画面に表示させる請求項１〜３のいずれかに記載の設定装置。
【請求項５】
前記制御手段は、前記第１の設定の設定値とともに前記第２の設定の設定値を前記操作表示手段に表示させ、さらに前記第１の設定及び第２の設定以外の第３の設定の設定値が設定操作されると前記第３の設定の設定値を前記操作表示手段に表示させ、前記第１の設定及び前記第２の設定の設定値の表示態様を前記第３の設定の設定値と異ならせることを特徴とする請求項１〜４のいずれかに記載の設定装置。
【請求項６】
前記第１の設定及び前記第２の設定の設定値の表示色が第３の設定の設定値と異なることを特徴とする請求項５に記載の設定装置。
【請求項７】
前記制御手段は、前記第２の画面上において前記第１の設定または前記第２の設定の設定値を前記第１の設定と前記第２の設定との禁則関係を解除する設定値に変更する操作を有効にすることを特徴とする請求項５または６に記載の設定装置。
【請求項８】
前記制御手段は、前記第２の画面上の第１の設定の設定値または第２の設定の設定値の表示箇所がドラッグされた後に第１の場所上でドロップされると、前記第１の設定の設定値を解除することを特徴とする請求項４〜７に記載の設定装置。
【請求項９】
コンピュータの表示部に表示させた画面が操作されることで各種操作指示を受け付ける操作表示処理を具備し、前記操作表示処理は、設定操作のための設定操作領域画面（第１の画面）とともに前記第１の画面とは別の領域画面（第２の画面）を前記表示部に表示させる表示プログラムであって、
禁則原因である第１の設定の設定値の禁則仕様に基づいて第２の設定の設定値が無効になる場合に、前記第１の設定の設定値を前記第２の画面に表示させる制御処理を前記コンピュータに実行させることを特徴とする表示プログラム。
【請求項１０】
画面が操作されることで各種操作指示を受け付ける操作表示工程を具備し、前記操作表示工程は、設定操作のための設定操作領域画面（第１の画面）とともに前記第１の画面とは別の領域画面（第２の画面）を表示する表示方法であって、
禁則原因である第１の設定の設定値の禁則仕様に基づいて第２の設定の設定値が無効になる場合に、前記第１の設定の設定値を前記第２の画面に表示させる制御工程を具備することを特徴とする表示方法。
【発明の詳細な説明】
【技術分野】
【０００１】
本発明は、  設定装置、表示プログラム及び表示方法に関する。
【背景技術】
【０００２】
複合機、複写機及びプリンタなどの画像形成装置、携帯電話等の設定装置では、多種多様な設定をすることができる。しかしながら、画像形成装置の設定において、ある設定（第１の設定）が所定の設定値にされると当該第１の設定との関係から他の設定（第２の設定）がユーザの所望の設定値にできない、すなわち第１の設定の設定値の禁則仕様に基づいて第２の設定がユーザの所望の設定値にできないことがある。そして、ユーザは、第２の設定を所望の設定値にするために第１の設定の設定値を変更したくても、設定の数が多いと、どの設定が第１の設定であるのかを見つけ出すことが難しい。このような場合に、ユーザは、リセットですべての設定をデフォルトの設定値に戻すしか方法がなかった。しかし、リセットしてしまうと、関係のない設定までデフォルトに戻ってしまうので、これらの設定も含めて再設定するという余分な手間が発生していた。
そのため、このような問題を解消する発明として下記特許文献１に、表示部を具備し、禁則仕様に該当するプリント設定が付随されたプリントデータが与えられると、当該プリント設定が禁則仕様に該当する趣旨のメッセージを表示部に表示するデジタル複写機が提案されている。
【先行技術文献】
【特許文献】
【０００３】
【特許文献１】特開２００６−１６３９５４号公報
【発明の概要】
【発明が解決しようとする課題】
【０００４】
ところで、上記従来技術では、禁則仕様に該当するプリント設定を表示部に表示することで、禁則仕様に該当するプリント設定をユーザに通知している。しかしながら、コピー機能を有する複合機などに上記機能を適用すると、コピー機能の設定時に上記表示内容が表示されることが考えられるが、上記表示内容の位置が配慮されずにタッチパネル上に表示されると、タッチパネルに表示される各操作ボタンが覆い隠されてしまって設定操作の妨げになる可能性がある。
【０００５】
本発明は、上述した事情に鑑みてなされたものであり、他の表示の邪魔をすることなく禁則仕様の適用の原因となる設定の設定値をユーザに通知することを目的とする。
【課題を解決するための手段】
【０００６】
上記目的を達成するために、本発明では、設定装置に係る第１の解決手段として、画面上が操作されることで各種操作指示を受け付ける操作表示手段を具備し、前記操作表示手段は、設定操作のための設定操作領域画面（第１の画面）とともに前記第１の画面とは別の領域画面（第２の画面）を表示する設定装置であって、禁則原因である第１の設定の設定値の禁則仕様に基づいて第２の設定の設定値が無効になる場合に、前記第１の設定の設定値を前記第２の画面に表示させる制御手段を具備するこという手段を採用する。
【０００７】
本発明では、設定装置に係る第２の解決手段として、上記第１の解決手段において、前記第２の画面は、前記第１の画面と異なる位置に配置されているという手段を採用する。
【０００８】
本発明では、設定装置に係る第３の解決手段として、上記第１の解決手段において、前記第２の画面は、前記第１の画面と重なる位置に配置され、重なった場所は透過されているという手段を採用する。
【０００９】
本発明では、設定装置に係る第４の解決手段として、上記第１〜第３の解決手段において、前記制御手段は、前記第１の画面上の前記第２の設定に関する操作ボタン（第２の設定ボタン）を前記操作表示手段にグレイアウト表示させ、当該第２の設定ボタンが操作されると、前記第１の設定の設定値を前記第２の画面に表示させるという手段を採用する。
【００１０】
本発明では、設定装置に係る第５の解決手段として、上記第１〜第４のいずれかの解決手段において、前記制御手段は、前記第１の設定の設定値とともに前記第２の設定の設定値を前記操作表示手段に表示させ、さらに前記第１の設定及び第２の設定以外の第３の設定の設定値が設定操作されると前記第３の設定の設定値を前記操作表示手段に表示させ、前記第１の設定及び前記第２の設定の設定値の表示態様を前記第３の設定の設定値と異ならせるという手段を採用する。
【００１１】
本発明では、設定装置に係る第６の解決手段として、上記第５の解決手段において、前記第１の設定及び前記第２の設定の設定値の表示色が第３の設定の設定値と異なるという手段を採用する。
【００１２】
本発明では、設定装置に係る第７の解決手段として、上記第５または６の解決手段において、前記制御手段は、前記第２の画面上において前記第１の設定または前記第２の設定の設定値を前記第１の設定と前記第２の設定との禁則関係を解除する設定値に変更する操作を有効にするという手段を採用する。
【００１３】
本発明では、設定装置に係る第８の解決手段として、上記第４〜７のいずれかの解決手段において、前記制御手段は、前記第２の画面上の第１の設定の設定値または第２の設定の設定値の表示箇所がドラッグされた後に第１の場所上でドロップされると、前記第１の設定の設定値を解除するという手段を採用する。
【００１４】
また、本発明では、表示プログラムに係る第１の解決手段として、コンピュータの表示部に表示させた画面が操作されることで各種操作指示を受け付ける操作表示処理を具備し、前記操作表示処理は、設定操作のための設定操作領域画面（第１の画面）とともに前記第１の画面とは別の領域画面（第２の画面）を前記表示部に表示させる表示プログラムであって、禁則原因である第１の設定の設定値の禁則仕様に基づいて第２の設定の設定値が無効になる場合に、前記第１の設定の設定値を前記第２の画面に表示させる制御処理を前記コンピュータに実行させるという手段を採用する。
【００１５】
さらに、本発明では、表示方法に係る第１の解決手段として、画面が操作されることで各種操作指示を受け付ける操作表示工程を具備し、前記操作表示工程は、設定操作のための設定操作領域画面（第１の画面）とともに前記第１の画面とは別の領域画面（第２の画面）を表示する表示方法であって、禁則原因である第１の設定の設定値の禁則仕様に基づいて第２の設定の設定値が無効になる場合に、前記第１の設定の設定値を前記第２の画面に表示させる制御工程を具備するという手段を採用する。
【発明の効果】
【００１６】
本発明によれば、操作表示手段の画面上の設定操作領域とは別の第２の画面上に第１の設定の設定値を表示する。このように、本発明は、第２の設定に禁則仕様が適用される原因となる第１の設定の設定値を第２の画面上に表示するので、他の表示、すなわち設定操作領域の表示を邪魔をすることなく禁則仕様の適用の原因となる第１の設定の設定値をユーザに通知することができる。
【図面の簡単な説明】
【００１７】
【図１】本発明の実施形態に係る複合機Ａの機能ブロック図である。
【図２】本発明の実施形態に係る複合機Ａの動作を示すフローチャートである。
【図３】本発明の実施形態に係る複合機Ａのコピー基本画面を示す図である。
【図４】本発明の実施形態に係る複合機Ａの「片面／両面」設定の設定値が「片面→両面」である場合のコピー基本画面を示す図である。
【図５】本発明の実施形態に係る複合機Ａのプレビュー領域上に禁則仕様の適用の原因である「片面／両面」設定の設定値「片面→両面」を表示させたコピー基本画面を示す図である。
【図６】本発明の実施形態に係る複合機Ａの禁則仕様の適用の原因である「片面／両面」設定の「片面→両面」の表示部分のドラッグアンドドロップを示す図である。
【図７】本発明の実施形態に係る複合機Ａの動作の変形例を示す図である。
【図８】本発明の実施形態に係る複合機Ａの動作の変形例を示す図である。
【図９】本発明の実施形態に係る複合機Ａの動作の変形例を示す図である。
【発明を実施するための形態】
【００１８】
以下、図面を参照して、本発明の実施形態について説明する。
本実施形態に係る複合機（設定装置）Ａは、コピー機能、プリント機能、スキャン機能、ファクシミリ送信／受信機能及び電子メール送信機能を併せ持つ。そして、複合機Ａは、図１に示すように、ＣＰＵ(Central Processing Unit)１、ＲＯＭ(Read Only Memory)２、ＲＡＭ(Random Access Memory)３、各種センサ群４、画像読取部５、画像データ記憶部６、用紙搬送／画像形成部７、通信Ｉ／Ｆ部８及び操作表示部９を備えている。なお、上記ＣＰＵ１、ＲＯＭ２、ＲＡＭ３は、本実施形態における制御手段を構成する。
【００１９】
ＣＰＵ１は、ＲＯＭ２に記憶されている制御プログラム、各種センサ群４から受信する各種検出信号、画像データ記憶部６に記憶されている原稿画像データ、プリント画像データ及びファクシミリ画像データ、通信Ｉ／Ｆ部８を介して外部（クライアントコンピュータ及び公衆網など）から入力される各種指示並びに操作表示部９から入力される操作指示に基づいて複合機Ａの全体動作を制御する。なお、このＣＰＵ１の制御処理の詳細については、複合機Ａの動作として後述する。
ＲＯＭ２は、ＣＰＵ１で実行される制御プログラム及びその他のデータを記憶する不揮発性メモリである。
【００２０】
ＲＡＭ３は、ＣＰＵ１が制御プログラムを実行して各種動作を行う際に、データの一時保存先となるワーキングエリアとして用いられる揮発性メモリである。
各種センサ群４は、例えば、原稿セット検出センサ、用紙切れ検出センサ、用紙詰まり検出センサ、用紙位置検出センサ、温度センサ及び筐体（図示略）のカバー開閉検出センサなどの画像形成動作に必要な各種センサであり、それぞれのセンサで検出した各種の情報を検出信号としてＣＰＵ１に出力する。
【００２１】
画像読取部５は、ＡＤＦ（自動原稿送り装置）とＣＣＤ(Charge Coupled Device)センサなどを備え、ＣＰＵ１の制御指令の下でＡＤＦによって順次給紙される原稿の画像をＣＣＤセンサに読み取らせ、原稿画像に基づく原稿画像データをＣＰＵ１に出力する。一方、ＣＰＵ１は、原稿画像データを画像データ記憶部６に記憶させる。
【００２２】
画像データ記憶部６は、例えばフラッシュメモリまたはハードディスクであり、ＣＰＵ１の制御指令の下で原稿画像データ、通信Ｉ／Ｆ部８が外部（クライアントコンピュータ及び公衆網など）から受信するプリント画像データ及びファクシミリ画像データを記憶する。なお、画像データ記憶部６は、原稿画像データ、プリント画像データ及びファクシミリ画像データをビットマップデータで記憶する。
【００２３】
用紙搬送／画像形成部７は、プリントエンジン（感光ドラム、帯電器、現像装置及び定着ローラなど）、給紙ローラ及び排紙ローラなどを備える。この用紙搬送／画像形成部７は、ＣＰＵ１の制御指令の下で給紙トレイ（図示略）から印刷用紙を給紙ローラで搬送し、画像データ記憶部６の画像データに基づく画像（トナーからなる画像）を印刷用紙に転写し、当該印刷用紙を排紙ローラで排紙トレイ（図示略）に搬送する。
【００２４】
通信Ｉ／Ｆ部８は、外部のクライアントコンピュータ及び公衆網に接続し、このクライアントコンピュータ及び公衆網との間で各種信号の送受信を行う。そして、通信Ｉ／Ｆ部８は、クライアントコンピュータから入力されるプリント画像データと、公衆網から入力されるファクシミリ画像データとをＣＰＵ１に出力する。一方、ＣＰＵ１は、プリント画像データ及びファクシミリ画像データを画像データ記憶部６に記憶させる。
【００２５】
操作表示部９は、コピー機能キー、プリント機能キー、スキャン機能キー、ファクシミリ機能キー、スタートキー、ストップ／クリアキー、電源キー、テンキー（数値入力キー）などのハードウェアキーと、タッチパネル９ａとを備えており、それぞれのキーの操作指示をＣＰＵ１に出力するとともにＣＰＵ１の制御指令の下でタッチパネル９ａに種々の画面を表示する。上記コピー機能キー、プリント機能キー、スキャン機能キー及びファクシミリ機能キーは、各機能を起動するためのキーである。なお、タッチパネル９ａは、本実施形態における操作表示手段である。
【００２６】
次に、上記構成の本実施形態に係る複合機Ａの動作について、図２を参照して説明する。
まず、複合機Ａで原稿を複写しようとするユーザは、操作表示部９のコピー機能キーを押下することで複合機Ａをコピー機能の動作モードに切り替える。すると、複合機Ａは、タッチパネル９ａにコピー基本画面を表示する
【００２７】
上記コピー基本画面とは、複合機Ａのコピー機能におけるトップ画面であり、コピー機能の各設定の設定画面（設定の設定値をユーザに選択させる画面）を表示させるための設定画面表示ボタンなどを表示する画面である。そして、コピー基本画面では、図３に示すように「レイアウト／編集」グループに属する「拡大／縮小」ボタン及び「集約」ボタンなどの設定画面表示ボタンが表示されるとともに選択中のグループを示すタブボタン（「レイアウト／編集」ボタン）と他のグループのタブボタン（「簡単設定」、「原稿／用紙／仕上げ」、「カラー／画質」及び「応用／その他」ボタン）とが表示される。また、コピー基本画面には、上記設定画面表示ボタンなどの操作ボタンが表示される設定操作領域（第１の画面）のほかに、コピー結果のプレビュー画像が表示されるプレビュー領域（第２の画面）がある。
【００２８】
ＣＰＵ１は、コピー基本画面の所定の設定（第１の設定）の設定画面表示ボタンが押下されると、タッチパネル９ａに第１の設定の設定画面を表示させ、当該設定画面の中で設定値が変更されると、第１の設定の設定値の禁則仕様に基づいて他の設定（第２の設定）の設定値が設定できない場合に、当該第２の設定の設定画面表示ボタンをタッチパネル９ａにグレイアウト表示させる（ステップＳ１）。
【００２９】
例えば、ステップＳ１においてコピー基本画面（図３参照）上の「両面／分割」ボタンの押下によりタッチパネル９ａに表示された「両面／分割」設定画面の中で、「両面／分割」設定の設定値が「片面→両面」に設定されると、図４に示すように「両面／分割」ボタンの上方に現在の設定値である「片面→両面」が表示される。そして、「拡大連写」ボタンは、グレイアウト表示になる。なお、図４の「拡大連写」ボタンの点線は、グレイアウト表示になっていることを示している。
【００３０】
このように「拡大連写」ボタンがグレイアウト表示になるのは、「両面／分割」設定の設定値「片面→両面」の禁則仕様が「拡大連写」設定に適用されるからである。これにより「両面／分割」設定の設定値「片面→両面」の禁則仕様に基づいて「拡大連写」設定を「ＯＮ」できない。なお、上記「拡大連写」設定とは、１枚の原稿の画像を複数に分割した上で各分割画像を拡大コピーするための設定であり、デフォルト設定値は「ＯＦＦ」になっている。例えば、複合機Ａは、「拡大連写」設定が「ＯＮ」になると、１枚の原稿の画像を縦及び横方向に３分割した画像、すなわち原稿の画像を９分割した画像それぞれを拡大コピーする。
【００３１】
図２に戻り、ＣＰＵ１は、ステップＳ１の後に、グレイアウト表示された第２の設定の設定画面表示ボタンが押下されたか否か判定する（ステップＳ２）。ＣＰＵ１は、ステップＳ２において『ＮＯ』と判定した場合には、すなわちグ第２の設定の設定画面表示ボタンが押下されていない場合には、ステップＳ２で待機する。ＣＰＵ１は、ステップＳ２において『ＹＥＳ』と判定した場合には、すなわち第２の設定の設定画面表示ボタンが押下された場合には、プレビュー領域上に禁則仕様の適用の原因になった第１の設定の設定値をタッチパネル９ａに表示させる（ステップＳ３）。
【００３２】
例えば、ステップＳ２において図４に示すコピー基本画面上のグレイアウト表示された「拡大連写」ボタンが押されると、図５に示すようにプレビュー領域上に「両面／分割」設定の設定値である「片面→両面」が表示される。この際、このコピー基本画面には、ごみ箱アイコンも表示される。なお、ごみ箱アイコンの詳細については、後述する。
【００３３】
図２に戻り、ＣＰＵ１は、ステップＳ２の後に、プレビュー領域上の第１の設定の設定値の表示部分がドラッグされた後にごみ箱アイコン（第１の場所）上でドロップされたか否か判定する（ステップＳ４）。ＣＰＵ１は、ステップ３において『ＮＯ』と判定された場合には、すなわちプレビュー領域上の第１の設定の設定値の表示部分がドラッグされた後にごみ箱アイコン上でドロップされなかった場合に、ステップＳ４で待機する。ＣＰＵ１は、ステップ３において『ＹＥＳ』と判定された場合には、すなわちプレビュー領域上の第１の設定の設定値の表示部分がドラッグされた後にごみ箱アイコン上でドロップされた場合に、禁則仕様の適用の原因の第１の設定の設定値を解除し、当該設定をデフォルト設定値に戻す。
【００３４】
例えば、ステップＳ４において図６に示すようにプレビュー領域上の「両面／分割」設定の「片面→両面」の表示部分が太矢印方向にドラッグされた後にごみ箱アイコン上でドロップされると、「両面／分割」設定の「片面→両面」が解除されて、デフォルト設定値である「片面→片面」に戻る。
【００３５】
以上のように、本実施形態に係る複合機Ａは、第１の設定の設定値の禁則仕様に基づいて第２の設定の設定値が設定できない場合に、第２の設定の設定画面表示ボタンをグレイアウト表示する。そして、複合機Ａは、第２の設定の設定画面表示ボタンが押下されると、タッチパネル９ａ上の設定操作領域とは別の領域、すなわちプレビュー領域上に禁則仕様の適用の原因となる第１の設定の設定値を表示する。さらに、複合機Ａは、プレビュー領域上の第１の設定の設定値の表示部分がドラッグされた後にごみ箱アイコン上でドラッグされると、第１の設定の設定値を解除する。このように、複合機Ａは、第２の設定に禁則仕様が適用される原因となる第１の設定の設定値を第２の画面上に表示するので、他の表示、すなわち設定操作領域の表示を邪魔をすることなく禁則仕様の適用の原因となる第１の設定の設定値をユーザに通知することができる。
【００３６】
以上、本発明の一実施形態について説明したが、本発明は上記実施形態に限定されることなく、例えば以下のような変形が考えられる。
（１）上記実施形態は、画像形成装置の１つである複合機Ａに本発明を適用したものであるが、本発明の適用範囲はこれに限定されない。例えば、携帯端末などのあらゆる機器に、本発明に係る設定装置を適用することができる。
【００３７】
（２）上記実施形態では、設定操作領域（第１の画面）とプレビュー領域（第２の画面）とが異なる位置に配置されたが、本発明はこれに限定されない。例えば、ＣＰＵ１は、グレイアウト表示された第２の設定の設定画面表示ボタンが押下されると、図７に示すように当該設定画面表示ボタンに重なるように第１の設定の設定値を表示した吹き出し画面（第２の画面）をタッチパネル９ａに表示させるようにしてもよい。その際、吹き出し画面は、設定操作領域が見えるように透過にする。
【００３８】
（３）上記実施形態では、プレビュー領域（第２の画面）に禁則原因である第１の設定を表示したが、本発明はこれに限定されない。すなわち、第１の設定の設定とともに第２の設定をプレビュー領域に表示するようにしてもよい。第１の例として、ユーザが、第１の設定として「ページ集約」設定に設定値「２ｉｎ１」を設定し、第２の設定として「原稿サイズ混載」設定の設定値「サイズ混載」を設定したとする。そして、ＣＰＵ１は、「ページ集約」設定の設定値「２ｉｎ１」と「原稿サイズ混載」設定の設定値「サイズ混載」とは禁則関係であるが、「ページ集約」設定に「２ｉｎ１」が設定されていた場合でも、「原稿サイズ混載」設定に「サイズ混載」の設定することを可能にする。しかし、ＣＰＵ１は、この両設定が上記設定値である状態では、操作表示部９のスタートキーが押下されてもコピーを実行させない。
【００３９】
そして、ＣＰＵ１は、上述したように第１の設定及び第２の設定が設定されると、図８の（ａ）に示すようにプレビュー領域に第１の設定の設定値として「ページ集約」設定の「２ｉｎ１」をアイコンで表示させ、第２の設定の設定値として「原稿サイズ混載」設定の設定値「サイズ混載」をアイコンで表示させる。さらに、ＣＰＵ１は、その他の設定（第３の設定）として「濃度」設定が「濃い」に変更されると、当該「濃度」設定の設定値「濃い」もプレビュー領域にアイコンで表示させる。そして、ＣＰＵ１は、禁則関係である「ページ集約」設定の設定値「２ｉｎ１」と「原稿サイズ混載」設定の設定値「サイズ混載」とのアイコンの表示色を赤色にすることで、「濃度」設定の設定値のアイコンの表示色（黒色）と異ならせる。
【００４０】
ここで、プレビュー領域において禁則結果を示している図８（a）の表示（→禁則（×））と図８（ｂ）の表示（→禁則（○））とを禁則関連表示と言う。禁則関連表示は、禁則である場合には、図８（a）に示す表示（→禁則（×））になり、禁則でない場合には、図８（ｂ）の表示（→禁則（○））になる。さらに、禁則である場合には、禁則関連表示を赤色にして、禁則でない場合には、禁則関連表示を黒色にする。そうすることで、色と禁則か否かとが関連付けられて、よりユーザに理解しやすいものになる。
【００４１】
このような状態において、ＣＰＵ１は、プレビュー領域上において第１の設定（「ページ集約」設定）または第２の設定（「原稿サイズ混載」設定）の設定値を第１の設定と第２の設定との禁則関係を解除する設定値に変更する操作を有効にする。
例えば、プレビュー領域の「原稿サイズ混載」設定の設定値「サイズ混載」のアイコンがドラッグされた後にごみ箱アイコン上でドロップされる。すると、ＣＰＵ１は、「原稿サイズ混載」設定の設定値「サイズ混載」を解除して、デフォルト設定値である「設定しない」に戻し、図８の（ｂ）に示すように第２の設定の設定値のアイコンを消去し、残った第１の設定（「ページ集約」設定）の設定値のアイコンの表示色を黒色にする。そして、ＣＰＵ１は、このように禁則関係が解除されると、操作表示部９のスタートキーの押下を有効にする。
【００４２】
また、プレビュー領域の「ページ集約」設定の設定値「２ｉｎ１」のアイコンがドラッグされた後にごみ箱アイコン上でドロップされる。すると、ＣＰＵ１は、「ページ集約」設定の設定値「２ｉｎ１」を解除して、デフォルト設定値である「設定しない」に戻し、第１の設定（「ページ集約」設定）の設定値のアイコンを消去し、残った第２の設定（「原稿サイズ混載」設定）の設定値のアイコンの表示色を黒色にする。そして、ＣＰＵ１は、このように禁則関係が解除されると、操作表示部９のスタートキーの押下を有効にする。
また、ＣＰＵ１は、「濃度」設定（第３の設定）の設定値「濃い」のアイコンがドラッグされた後にごみ箱アイコン上でドロップされた場合に、「濃度」設定の設定値「濃い」を解除しない。
【００４３】
また、第２の例として、ユーザが、第１の設定として「保存ファイル形式」設定に設定値「ＪＢＩＧ」を設定し、第２の設定として「保存カラー／白黒」設定の設定値「白黒」を設定したとする。そして、ＣＰＵ１は、「保存ファイル形式」設定の設定値「ＪＢＩＧ」と「保存カラー／白黒」設定の設定値「白黒」とは禁則関係であるが、「保存ファイル形式」設定に「ＪＢＩＧ」が設定されていた場合でも、「保存カラー／白黒」設定に「白黒」の設定することを可能にする。しかし、ＣＰＵ１は、この両設定が上記設定値である状態では、操作表示部９のスタートキーが押下されてもコピーを実行させない。
【００４４】
そして、ＣＰＵ１は、上述したように第１の設定及び第２の設定が設定されると、図９の（ａ）に示すようにプレビュー領域に第１の設定の設定値として「保存ファイル形式」設定の「ＪＢＩＧ」をアイコンで表示させ、第２の設定の設定値として「保存カラー／白黒」設定の設定値「白黒」をアイコンで表示させる。さらに、ＣＰＵ１は、その他の設定（第３の設定）として「濃度」設定が「濃い」に変更されると、当該「濃度」設定の設定値「濃い」もプレビュー領域にアイコンで表示させる。そして、ＣＰＵ１は、禁則関係である「保存ファイル形式」設定の「ＪＢＩＧ」と「保存カラー／白黒」設定の設定値「白黒」とのアイコンの表示色を赤色にすることで、「濃度」設定の設定値のアイコンの表示色（黒色）と異ならせる。
【００４５】
このような状態において、ＣＰＵ１は、プレビュー領域上において第１の設定（「保存ファイル形式」設定）または第２の設定（「保存カラー／白黒」設定）の設定値を第１の設定と第２の設定との禁則関係を解除する設定値に変更する操作を有効にする。
ＣＰＵ１は、例えば、図９の（ｂ）に示すようにプレビュー領域が操作されて「保存カラー／白黒」設定の設定値が「カラー」に変更されると、「保存ファイル形式」設定及び「保存カラー／白黒」設定の設定値を有効にし、「保存ファイル形式」設定及び「保存カラー／白黒」設定の設定値のアイコンの表示色を黒色に戻す。そして、ＣＰＵ１は、このように禁則関係が解除されると、操作表示部９のスタートキーの押下を有効にする。
【００４６】
（４）上記実施形態では、タッチパネル９ａ上のプレビュー領域（第２の画面に）に第１の設定を表示しているが、本発明はこれに限定されない。例えば、プリンタドライバ（表示プログラム）がインストールされたコンピュータは、上記プリンタドライバに基づいてディスプレイ上の第２の画面に第１の設定の設定値を表示するようにしてもよい。
【符号の説明】
【００４７】
Ａ…複合機、１…ＣＰＵ（制御手段）、２…ＲＯＭ（制御手段）、３…ＲＡＭ（制御手段）、４…各種センサ群、５…画像読取部、６…画像データ記憶部、７…用紙搬送／画像形成部、８…通信Ｉ／Ｆ部、９…操作表示部、９ａ…タッチパネル（操作表示手段）
【図１】
2011154640.tif 000003
【図２】
2011154640.tif 000004
【図３】
2011154640.tif 000005
【図４】
2011154640.tif 000006
【図５】
2011154640.tif 000007
【図６】
2011154640.tif 000008
【図７】
2011154640.tif 000009
【図８】
2011154640.tif 000010
【図９】
2011154640.tif 000011